(57)【特許請求の範囲】
【請求項１】
入射ひとみ面を有し、１つまたは複数の光放射スポットを出力する光放射源と、
入射ひとみ面内の点または入射ひとみ面内の点と共役になる点を中継する光学リレー・システムとを備え、
光学リレー・システムが、リトロレフレクターに対して角度を成して配設されたビームスプリッタを備える、患者の眼を対象とした小型視野テスタ。
【請求項２】
光学リレー・システムの倍率が１：１に等しい請求項１に記載の小型視野テスタ。
【請求項３】
光学リレー・システムが、患者の眼の位置に点を中継する請求項２に記載の小型視野テスタ。
【請求項４】
リトロレフレクターが、リトロレフレクター・アレイである請求項２に記載の小型視野テスタ。
【請求項５】
光放射源が、放射源のアレイを備える請求項４に記載の小型視野テスタ。
【請求項６】
アレイが、発光ダイオードのアレイを備える請求項５に記載の小型視野テスタ。
【請求項７】
アレイが、レンズ・システムの焦点面に配設されている請求項５に記載の小型視野テスタ。
【請求項８】
光学源が、レンズ・システムの焦点面に配設された放射スポット源と、レンズ・システムの入射ひとみ面内の点のほぼ周囲を回転するように配設された１つまたは複数のスキャナとを備える請求項４に記載の小型視野テスタ。
【請求項９】
光学源が、第１のレンズ・システムの焦点面に配設された放射スポット源と、
レンズ・システムの入射ひとみ面内の点のほぼ周囲を回転するように配設された第１のスキャナと、
レンズ・システムの入射ひとみ面内の点を、入射ひとみ面内の点と共役になる点にリレーするように配設された、倍率が１：１のリレー・システムと、
共役点のほぼ周囲を回転するように配設された第２のスキャナと
を備える請求項４に記載の小型視野テスタ。
【発明の詳細な説明】
【０００１】
【発明の属する技術分野】
本発明は、視野テスタ、特に小型視野テスタに関する。
【０００２】
【従来の技術】
視覚機能の検査には、視野測定、網膜の視覚の測定、ちらつき頻度の測定、コントラスト感度の測定、色コントラスト感度の測定などがある。このような検査を実施できる装置を自動ペリメーターまたは視野テスタと称し、当技術分野において従来より既知の装置となっている。
【０００３】
従来技術による視野テスタでは、半球形の投影面を用意し、この半球体の中心または中心近くに患者の眼を配置して検査を行うことが一般的であった。検査対象となる眼を半球体の天頂、特に半球体の内面の天頂を向くように配置し、患者を中心固定発光に従わせる。プロジェクタが、例えば半球体の内面に光源の像を次々に照らし、半球体の内面の一定の点に刺激を与える。これに対して、患者は、例えばボタンを押すことによって信号を生成し、刺激を受けたかどうかを明らかにする。通常、コンピュータがこの信号を受信し、患者の視野を生成する。この視野を利用して、疾病の有無や進行の度合をプロットする。このような従来技術による間接照明視野テスタの問題点として挙げられるのは、スペースをとる上に、高価である点である。例えば、患者が半球体の内面を直視するには、眼から内面までの距離は最低でも３０ｃｍ必要である。３０ｃｍ離れた距離にある６０°の視野の場合、半球体の大きさは、直径３０ｃｍとなる。原則として、半球体の直径は、６０〜１００ｃｍの範囲となる。また、半球体の中心は、検査中、通常、椅子にかけている患者の目の高さに配置するのが普通である。したがって、従来技術による視野テスタの全高は、２ｍの範囲内に入る必要がある。
【０００４】
上に述べたような従来技術による視野テスタを改良したものが、米国特許第５０４６８３５号（’８３５特許）に開示されている。’８３５特許では、特に、上記のような従来の装置が占めるスペースのごく一部を占めるにすぎない患者の眼の視覚機能を調べるのに使用する装置について開示している。さらに’８３５特許では、特に、微小な間隔で刺激を与える装置であって、放射源と、隔壁の形態をした刺激手段（この隔壁は、放射源と患者の眼との間に配設される）と、１つまたは複数の光学要素を含む接眼レンズ（この接眼レンズは、隔壁と患者の眼との間に配設される）と、隔壁から刺激の中間実像を生成する集光レンズ（この集光レンズは、隔壁の開口部の面と接眼レンズとの間にある平面内に配設される）とを備える装置について開示している。接眼レンズの目的は、眼の網膜上に、鮮明な中間実像を結ばせることである。’８３５特許に開示されているように、当該装置は、放射出力の強度を時間の関数として設定するコンピュータも備えている。また、’８３５特許のコラム６にも述べられているが、放射源を含むアセンブリ２２は、図２に示すように、コンピュータ制御の駆動装置により、患者の眼の水晶体の光軸に対して直角に移動できるようになっている。したがって、隔壁は、光軸に対して直角に配設された平面内で開口部を移動することができ、また、平面内の所望の点に刺激を与えることができる。連続的に与えられる刺激の位置の座標は、所定のプログラムに従ってコンピュータが選択する。
【０００５】
【発明が解決しようとする課題】
当技術分野では、小型の視野テスタ、好ましくは、口径食を生じることなく直接患者の眼にテスト・スポットを投影する視野テスタで患者の視野を調べる方法および装置が必要である。
【０００６】
【課題を解決するための手段】
本発明の実施態様は、小型の視野テスタを用いて、あらゆる視野について口径食を生じることなく患者の視野を調べる方法および装置を提供する。特に、本発明の一実施態様は、直接患者の眼にテスト・スポットを投影する小型視野テスタである。本発明によれば、小型視野テスタは、（ａ）あらゆる視野について口径食を生じることなく、直接患者の眼にテスト・スポットを投影し、（ｂ）患者が楽にできる（すなわち、検査中、患者がリラックスでき、その結果、検査の精度が向上する）だけの十分な作動距離を備え（すなわち、テスト・スポットは、光学的に無限遠方に配置される）、（ｃ）患者の眼の動きに対応できるだけの光学システム入射ひとみ（レンズの口径が、ひとみと直接中継され、したがってレンズの口径により入射ひとみの大きさが定まるので、入射ひとみが大きくなる）と、（ｄ）患者の眼の近くに視野テスタを配置できる小型光学システムと、（ｅ）患者の眼の屈折に対応できるように調整でき、したがって「トライアル」レンズ（トライアル・レンズは、検査中、患者の眼の屈折を調整するのに使用される）が不要な光学システムとを有している。
【０００７】
本発明の一実施態様は、患者の眼の視野を測定する視野テスタであって、（ａ）入射ひとみ面を有し、１つまたは複数の光放射スポットを出力する光学放射源と、（ｂ）入射ひとみ面内の点またはこの点と共役な点を中継する光学リレー・システムとを備え、この光学リレー・システムが、リトロレフレクターに対してある角度で配設されたビームスプリッタを備えている視野テスタである。
【０００８】
【発明の実施の形態】
当技術分野では、光学システムの入射ひとみ面に患者の眼を配置すると、患者が、ちらつきなく視野全体を見ることができることが知られている。しかし、大半の従来技術による投影レンズの場合、入射ひとみ面は、レンズ・グループの内側、あるいはレンズ・グループの第１のレンズの位置にある。すでに知られているように、このような従来技術による投影レンズの入射ひとみ面に患者の眼を配置することは、物理的に不可能である。投影レンズの前方に入射ひとみ面を備えた投影レンズを利用して、この問題を解決することができる。しかし、すでに知られているように、このような投影レンズは大型になり、しかも、レンズ前方にある入射ひとみ面までの距離が増大すると、このようなレンズの横方向の色収差は悪化する。また、このような横方向の色収差は、高価で特殊なガラス材料を使用しないと、補正が困難である。したがって、上記の問題を解決する方法の１つとして、患者の眼を入射ひとみ面に配置できるように、オープン・スペース内にある面に入射ひとみ面を映しだす光学リレー・システムを使用することが知られている。
【０００９】
図１は、オープン・スペース内の平面に入射ひとみを映し出す、本発明による光学リレー・システムの実施形態を示す図であり、この光学リレー・システム１０００を使用して、本発明による小型視野テスタを製造する。図１に示すように、本実施形態によれば、光学投影システム（図１には図示せず）の入射ひとみ面の像の位置に患者の眼を配置すると、患者は、ちらつきなく、視野全体を見ることができる。
【００１０】
図１では、本発明の原理を理解しやすくするために、光学投影システムを、その入射ひとみ面の位置で示してある。図１に示すように、光学投影システムの入射ひとみ面にある点１００からでている点線１１０および１２０は、光学投影システムの主な光線である。点１００からでている光放射は、ビームスプリッタ１３０に当たり、光放射の一部は、リトロレフレクター・アレイ１４０の方向に反射する。当業者には周知であるが、リトロレフレクターは、コーナー・キューブ・タイプの反射鏡を構成するように、相互にほぼ９０°の角度で配置された３つの鏡を備えている。同様に、当業者には周知であるが、入射角の範囲が広い場合、入射装置は、光ビームが入射装置に入射したのと同じ角度で光ビームを反射する。
【００１１】
図１に示すように、リトロレフレクター・アレイ１４０の方向に向かう光放射は、リトロレフレクター・アレイ１４０のマイクロ・コーナー・キューブによってリトロレフレクター・アレイに入射したのと同じ角度で反射される。リトロレフレクター・アレイ１４０によって反射された光放射の一部は、ビームスプリッタ１３０を通過し、光学投影システムの入射ひとみ面内の点１００の像である点１５０に当たる。本発明によれば、点線１７０および１８０が示すように、入射ひとみ面の点１００からでる光放射は、すべて点１５０に集まる。点１００とビームスプリッタ１３０との間の距離および点１５０とビームスプリッタ１３０との間の距離が等しい場合、光学リレー・システム１０００は、必ず光学的収差のない、一対一対応の光学リレー・システムとなる。以下詳しく述べるように、光学リレー・システム１０００は、ひとみが点１５０にくるように患者の眼を配置する、本発明の実施形態を製造するのに使用する。当業者には明らかであるが、ビームスプリッタ１３０とリトロレフレクター・アレイ１４０との間の角度は、例えば４５°といった特定の角度になっている必要はない。この角度は、被験者である患者が快適でなければならないことを前提にした大きさであってかまわない。やはり、当業者には明らかであるが、リトロレフレクター・アレイ１４０を備えたリトロレフレクターは、小型でなければならず、リトロレフレクターの大きさは、主に光学リレー・システムを設計する場合に許容できる入射光線の変位量によって決まる。これもまた当業者には明らかであるが、本発明の実施形態は、入射光線が、リトロレフレクター・アレイに入射したのと同じ角度で反射されるリトロレフレクター・アレイ１４０と特性がほぼ同じ装置を利用して製造してもよい。
【００１２】
図２は、本発明による小型視野テスタの製造に使用する光学的構成２０００を示す図である。光学的構成２０００は、図１に示した光学リレー・システム１０００を含む。図２に示すように、アレイ２００は、発光ダイオード（ＬＥＤ）または個々に照明されたスポットを配列したものであり、例えば、コンピュータ（図示せず）の形態をしたコントローラなどで制御される。視野テスタは、当業者には周知の方法でコントローラとアレイ２００との間にインタフェース装置（図示せず）を設けて製造される。当業者には、周知の方法によれば、例えばソフトウェアによる制御により、コントローラが、インタフェースを介してアレイ２００に信号を送信すると、アレイ２００の要素は、光を放射する。例えば、コンピュータを利用して、ＬＥＤアレイの各要素を制御する方法がよく知られている。また、当業者には周知の方法によれば、ソフトウェアによる制御により、コントローラは、（ａ）要素の位置、（ｂ）照明の順序、（ｃ）照明時間、（ｄ）照明時間中の照明の強度、および（ｅ）色の均一性により、アレイ２００の要素の照明を制御する。同様に、マスクを介して光を放射する、ＬＥＤ以外の独立の多数の光源や、あるいはアレイ状に配置されて個々にコンピュータ制御された多数のマスクを照明する一つの光源を利用してアレイ２００を構成する方法も当業者には周知である。
【００１３】
図２に示すように、アレイ２００の点２１０から出る光放射は、レンズ・システム２２０（本発明を理解しやすくするため、図２には１枚のレンズとして示す）に入射する。レンズ・システム２２０の焦点距離はｆであり、アレイ２００は、レンズ・システム２２０の焦点面に配置されている。その結果、アレイ２００の点２１０から出る光放射は、レンズ・システム２２０に入射してから、平行光線の束として現われ、ビームスプリッタ２３０に入射する。点２１５は、レンズ・システム２１０の入射ひとみ面内にある。やはり図２に示すように、図１と関連して上に述べた光学リレー・システム１０００を用いて、実施形態２０００を製造する。図１の場合と同様に、図２の点線は、レンズ・システム２２０の主な光線を示している。図１と関連して上に述べたように、ビームスプリッタ２３０とリトロレフレクター・アレイ２４０を使用すると、レンズ・システム２１０の入射ひとみ面内の点２１５は、眼２６０のひとみの点２５０と共役になる。
【００１４】
特に、ビームスプリッタ２３０からリトロレフレクター・アレイ２４０の方向に反射される光放射は、ビームスプリッタ２３０を介して反射され、一部は、眼２６０のひとみに入射する。図２に示すように、光放射は、眼２６０により、網膜２８０上にあるスポット２７０に集められる。スポット２７０の大きさは、ｆeyeを眼２６０の焦点距離として、倍率係数ｆ／ｆeyeにより定まる。本発明によれば、レンズ・システムの入射ひとみの大きさは変化せず、ちらつきもないので都合がよい。
【００１５】
最後に、やはり当業者には周知であるが、本発明による視野テスタを製造するには、光放射が眼に入射したどうかを患者が認識したことを表示する装置を患者に装着する。周知のように、このような表示装置は、押すとコントローラに信号を送信するボタンを含む。また、このような表示装置は、フット・ペダル、マウスなどを含む。さらに、本発明による視野テスタは、検査対象である眼の注目を引き付ける固定装置であって、当業者には周知の多数の方法のいずれかにより製造される固定装置を含む場合もある。例えば、固定装置は、検査対象である患者の眼に映るように所定位置に配設したＬＥＤになっている。最後に、コントローラは、患者からの入力を収集し、出力として患者の視覚測定値を生成するように、当業者には周知の多数の方法のいずれかに従って構成されている。
【００１６】
図３は、本発明による小型視野テスタを製造するのに使用する光学的構成３０００を示す図である。この光学的構成は、図１に示した光学リレー・システム１０００を含む。図３に示すように、光学的構成３０００は、単一の光放射源３００と、図２と関連して説明した上に述べた光学的構成２０００に従ってアレイ２００の代わりに使用するスキャナ３２０とを備えている。図３に示すように、光放射源３００は、レンズ・システム３１０（本発明を理解しやすくするため、図３では１枚のレンズとして示す）の後部焦点面に配設されている。光放射源３００は、ＬＥＤまたは所定のスポット・サイズを有するその他の光放射源である。本発明による視野テスタは、コントローラと、例えばコンピュータ（図示せず）と、光の放射源３００との間にインタフェース装置（図示せず）を設けて製造する。当業者には周知の方法により、例えばソフトウェアによる制御を受けて、コントローラがインタフェースを介して光放射源３００に信号を送ると、放射源は光を放射する。例えば、コンピュータを利用してＬＥＤを制御する方法がよく知られている。また、当業者には周知の方法により、ソフトウェアによる制御を受けて、コントローラは、（ａ）照明時間、（ｂ）照明中の照明の強度、および（ｃ）色の均一性について、光放射源３００から出る出力を制御する。
【００１７】
図３に示すように、光放射源３００から出る光の放射は、レンズ・システム３１０に入射し、平行ビーム３１３として現われる。平行ビーム３１３は、ほぼ点３１５に配置したスキャナ３２０に入射する。点３１５は、レンズ・システム３１０の入射ひとみ面に配設されている。図３において、スキャナ３２０は、その第１の位置（参照番号３２０）と第２の位置（参照番号３２０’）で示してある。さらに図３に示すように、図１と関連して上に述べた光学リレー・システム１０００を利用して、実施形態３０００を製造する。図１の場合と同じく、図３の点線は、レンズ・システム３１０の主な光線を示している。図１と関連して上に述べたように、ビームスプリッタ３３０およびリトロレフレクター・アレイ３４０を使用すると、レンズ・システム３１０の入射ひとみ面内の点３１５は、眼６０のひとみの点３５０と共役になる。
【００１８】
特に、スキャナ３２０によって反射される光放射は、ビームスプリッタ３３０に入射し、光放射の一部はビームスプリッタ３３０で反射され、リトロレフレクター・アレイ３４０の方向に向けられる。続いて、リトロレフレクター・アレイ３４０に入射した光放射は、ビームスプリッタ３３０に向かって反射する。光放射の一部は、ビームスプリッタ３３０を通過し、眼３６０のひとみに入る。最後に、眼３６０により、光放射は網膜３７０上に集められる。点３１５は、眼３６０のひとみと共役になっているので、スキャナ３２０の走査の角度が大きくてもちらつきが発生しない。図３に示すように、網膜３７０上の点３８０は、スキャナの位置３２０に対応し、網膜３７０上の点３８０’は、スキャナの位置３２０’に対応している。
【００１９】
本発明による視野テスタは、当業者には周知の方法でコントローラとスキャナ３２０との間にインタフェース装置（図示せず）を設けて製造する。当業者には周知の方法により、例えばソフトウェアによる制御を受けて、コントローラがインタフェースを介して信号を送ると、スキャナ３２０が回転し、したがって、光放射源３００からスキャナに入射する光放射を走査する。スキャナ３２０が走査を行うに従って、光放射源３００から出る光放射出力が、患者の網膜上のさまざまな位置で走査される。
【００２０】
スキャナ３２０の製造について、当業者には多数の方法が知られている。例えば、スキャナ３２０は、電池で作動するモータに鏡を固定することにより製造できる。このモータは、当業者に既知の方法でコントローラに接続される。また、ソフトウェアによる制御のもとで、スキャナ３２０の走査位置を制御する方法も当業者には周知である。
【００２１】
当業者には容易にわかるように、水平方向および垂直方向の走査については、スキャナが２基必要である。しかし、水平、垂直スキャナは、同じ点には物理的に配置できないため、本発明の実施形態を製造するにあたっては、前部ひとみ面および後部ひとみ面の像の位置にスキャナを配置する。これにより、スキャナは、短い相互間隔で分離される。
【００２２】
最後に、当業者には周知であるが、本発明による視野テスタを製造するには、光の放射が眼に入射したかどうかを患者が認識したことを表示する装置を患者に装着する。周知のように、このような表示装置は、押すとコントローラに信号を送信するボタンを含む。また、このような表示装置は、フット・ペダル、マウスなどを含む。さらに、本発明による視野テスタは、検査対象である眼の注目を引き付ける固定装置、すなわち、当業者には周知の多数の方法のいずれかにより製造される固定装置を含む場合もある。例えば、固定装置は、検査対象である患者の眼に映るように所定位置に配設したＬＥＤでよい。最後に、コントローラは、患者からの入力を収集し、出力として患者の視覚測定値を生成するように、当業者には周知の多数の方法のいずれかに従って構成されている。
【００２３】
図４は、本発明による小型視野テスタを製造するのに使用する光学的構成４０００を示す図である。この光学的構成は、図１に示す光学リレー・システム１０００を含む。実施形態４０００によれば、患者の眼と共役になった同じ点にスキャナ２基を配置しなければならない実施形態３０００の問題が解決される。前記の問題は、レンズ・システムの入射ひとみ面が、まず倍率が１であるリレー・レンズ・システムを介して中継され、さらに図１に示す光学リレー・システムにより中継される実施形態４０００によって解決される。このような実施形態では、患者のひとみについて２つの共役面があり、その結果、水平スキャナが、共役面の一方に配置され、垂直スキャナが、もう一方の共役面に配置される。この場合も、点線は、主な光線を示す。
【００２４】
図４に示すように、光学的構成４０００は、単一の光放射源４００とスキャナ４３０とを備えている。図４に示すように、光放射源４００は、レンズ・システム４１０（本発明を理解しやすくするため、図４には焦点距離ｆ1 の１枚のレンズとして示す）の後部焦点面に配設されている。光放射源４００は、ＬＥＤまたは所定のスポット・サイズを有するその他の光放射源でよい。本発明による視野テスタは、コントローラと、例えばコンピュータ（図示せず）と、光の放射源４００との間にインタフェース装置（図示せず）を設けて製造する。当業者には周知の方法により、例えばソフトウェアによる制御を受けて、コントローラがインタフェースを介して光放射源４００に信号を送ると、放射源は光を放射する。例えば、コンピュータを利用してＬＥＤを制御する方法がよく知られている。また、当業者には周知の方法により、ソフトウェアによる制御を受けて、コントローラは、（ａ）照明時間、（ｂ）照明中の照明の強度、および（ｃ）色の均一性について、光放射源４００から出る出力を制御する。
【００２５】
図４に示すように、光放射源４００から出る光の放射は、レンズ・システム４１０に入射し、平行ビーム４２０として現われる。平行ビーム４２０は、ほぼ点４１５に配置したスキャナ４３０に入射する。点４１５は、レンズ・システム４１０の入射ひとみ面に配設されている。図４において、スキャナ４３０は、第１の位置（参照番号４３０）と第２の位置（参照番号４３０’）で示してある。
【００２６】
本発明による視野テスタは、当業者には既知の方法でコントローラとスキャナ４３０との間にインタフェース装置（図示せず）を設けて製造する。当業者には周知の方法により、例えばソフトウェアによる制御を受けて、コントローラがインタフェースを介して信号を送ると、スキャナ４３０が回転し、したがって、光放射源４００からスキャナに入射する光放射を走査する。スキャナ４３０が走査を行うに従って、光放射源４００から出る光放射出力が、患者の網膜上のさまざまな位置で走査される。実施形態４０００の場合、図４の平面は、（矢印４０１０および４０２０が示すように）ｙ−ｚ面としている。図４のスキャナ４３０は、図４の平面に垂直なｘ軸の周囲を回転する。
【００２７】
スキャナ４３０が反射する光放射は、倍率１：１のリレー・レンズ・システム４３５に入射す。図４に示すように、リレー・レンズ・システム４３５は、レンズ・システム４３１（本発明を理解しやすくするため、図４には焦点距離ｆ2 の１枚のレンズとして示す）とレンズ・システム４３３（本発明を理解しやすくするため、図４には焦点距離ｆ3 の１枚のレンズとして示す）とを備えている。スキャナ４３０は、焦点距離ｆ2 にほぼ等しい距離にあるレンズ・システム４３１の後部焦点面に配置されている。リレー・システム４３５からの出力は、平行ビームであり、この平行ビームは、スキャナ４４０に入射する方向に向けられる。スキャナ４４０は、点４１５と共役になっている点４４５の周りを回転する。
【００２８】
本発明による視野テスタは、当業者には周知の方法でコントローラとスキャナ４４０との間にインタフェース装置（図示せず）を設けて製造する。当業者には既知の方法により、例えばソフトウェアによる制御を受けて、コントローラがインタフェースを介して信号を送ると、スキャナ４４０が回転し、したがって、リレー・レンズ・システム４３５からスキャナに入射する光放射を走査する。スキャナ４４０が走査を行うに従って、リレー・レンズ・システム４５３から出る光放射出力が、患者の網膜上のさまざまな位置で走査される。図４のスキャナ４４０は、ｙ軸の周囲を回転する。
【００２９】
さらに図４に示すように、図１と関連して上に述べた光学リレー・システム１０００を利用して、実施形態４０００を製造する。特に、スキャナ４４０によって反射される光放射は、ビームスプリッタ４５０に入射し、光放射の一部はビームスプリッタ４５０で反射され、リトロレフレクター・アレイ４６０に向けられる。続いて、リトロレフレクター・アレイ４６０に入射した光放射は、ビームスプリッタ４５０に向かって反射される。光放射の一部は、ビームスプリッタ４５０を通過し、眼４７０のひとみに入射する。最後に、眼４７０により、光放射は網膜４８０上に集められる。点４１５、４４５は、眼４７０のひとみと共役になっているので、走査の角度が大きい場合でも、ちらつきが発生しない。スキャナ４４０とビームスプリッタ４５０との間の距離は、ビームスプリッタ４５０と眼４７０の角膜面との間の距離にほぼ等しい。患者が楽に検査を受けられるように、この距離は、患者の動きによってシステムとの干渉が発生しないように設定される。
【００３０】
実施形態４０００は、リレー・システム４３５を利用して製造しているが、当業者は、上記の実施形態１０００などのリレー・システムをはじめ、その他のリレー・システムを利用して、本発明の実施形態を製造することもできるものと理解されたい。
【００３１】
スキャナ４３０および４４０の製造について、当業者には多数の方法が知られている。例えば、スキャナ４３０および４４０は、電池で作動するモータに鏡を固定することにより製造される。このモータは、当業者に周知の方法でコントローラに接続される。また、ソフトウェアによる制御のもとで、スキャナ４３０および４４０の走査位置を制御する方法も当業者には周知である。
【００３２】
最後に、やはり当業者には周知であるが、本発明による視野テスタを製造するには、光放射が眼に当たったどうかを患者が認識したことを表示する装置を患者に装着する。周知のように、このような表示装置は、押すとコントローラに信号を送信するボタンを含む。また、このような表示装置は、フット・ペダル、マウスなどを含む。さらに、本発明による視野テスタは、検査対象である眼の注目を引き付ける固定装置であって、当業者には周知の多数の方法のいずれかにより製造される固定装置を含む場合もある。例えば、固定装置は、検査対象である患者の眼に映るように所定位置に配設したＬＥＤなどでよい。最後に、コントローラは、患者からの入力を収集し、出力として患者の視覚測定値を生成するように、当業者には周知の多数の方法のいずれかに従って構成されている。
【００３３】
当業者には明らかであろうが、上記の記載は、あくまで説明のために行ったものである。よって、上記の記載は、すべてを網羅しようとするものではなく、また本明細書に開示したそのままの形に本発明を限定しようとするものでもない。
【図面の簡単な説明】
【図１】本発明の実施形態を組み立てるのに使用する光学リレー・システムの実施形態を示す図である。
【図２】本発明による小型視野テスタを組み立てるのに使用する第１の光学的構成であって、図１に示す光学リレー・システムを含む光学的構成を示す図である。
【図３】本発明による小型視野テスタを組み立てるのに使用する第２の光学的構成であって、図１に示す光学リレー・システムを含む光学的構成を示す図である。
【図４】本発明による小型視野テスタを組み立てるのに使用する第３の光学的構成であって、図１に示す光学リレー・システムを含む光学的構成を示す図である。
【符号の説明】
１００  点
１１０  点線
１３０  ビームスプリッタ
１４０  リトロレフレクター・アレイ
１５０  点
１０００  光学リレー・システム
【図１】
0004403313.tif 000002
【図２】
0004403313.tif 000003
【図３】
0004403313.tif 000004
【図４】
0004403313.tif 000005